(57)【要約】【課題】微小な信号成分である遅延電位の有無の判定を行い、ペーパーレス運用に適した心電図情報処理装置、心電図情報処理方法および心電図情報処理プログラムを提供すること。【解決手段】心電図情報処理装置は、被検者の心電図信号に対して加算平均処理を行うことにより加算平均心電図を取得する取得部と、取得された加算平均心電図において遅延電位の有無を判定する判定部と、前記遅延電位の有無の判定結果を表示装置に表示させる表示処理部と、を有する。【選択図】図４
2014128425.tif 000002
【特許請求の範囲】
【請求項１】
被検者の心電図信号に対して加算平均処理を行うことにより加算平均心電図を取得する取得部と、
取得された加算平均心電図において遅延電位の有無を判定する判定部と、
前記遅延電位の有無の判定結果を表示装置に表示させる表示処理部と、
を有する、心電図情報処理装置。
【請求項２】
取得された加算平均心電図において遅延電位に関連するパラメーター値を測定する測定部と、
前記判定の基準になる基準値を記憶する記憶部と、をさらに有し、
前記判定部は、測定されたパラメーター値と記憶された基準値とを比較することにより前記遅延電位の有無を判定し、
前記表示処理部は、前記パラメーター値および前記基準値を前記判定結果とともに前記表示装置に表示させる、
請求項１に記載の心電図情報処理装置。
【請求項３】
操作者による操作であって、前記加算平均処理を開始させる開始操作、前記加算平均処理を一時停止させる一時停止操作、および前記加算平均処理を再開させる再開操作を受け付ける入力部をさらに有し、
前記判定部は、前記開始操作の受け付けから前記一時停止操作の受け付けまでの期間に前記被検者から計測された心電図信号から取得された加算平均心電図において前記遅延電位の有無を判定し、
前記表示処理部は、前記一時停止操作が受け付けられたときに前記遅延電位の有無の判定結果を前記表示装置に表示させる、
請求項１又は２に記載の心電図情報処理装置。
【請求項４】
操作者による操作であって、前記加算平均処理を開始させる開始操作および前記加算平均処理を停止させる停止操作を受け付ける入力部をさらに有し、
前記判定部は、前記開始操作の受け付けから前記停止操作の受け付けまでの期間に前記被検者から計測された心電図信号から取得された加算平均心電図において前記遅延電位の有無を判定し、
前記表示処理部は、前記停止操作が受け付けられたときに前記遅延電位の有無の判定結果を前記表示装置に表示させる、
請求項１〜３のいずれか一項に記載の心電図情報処理装置。
【請求項５】
心電図情報処理装置により実行される心電図情報処理方法であって、
被検者の心電図信号に対して加算平均処理を行うことにより加算平均心電図を取得する取得工程と、
取得された加算平均心電図において遅延電位の有無を判定する判定工程と、
前記遅延電位の有無の判定結果を表示装置に表示させる表示処理工程と、
を有する、心電図情報処理方法。
【請求項６】
コンピュータに、
被検者の心電図信号に対して加算平均処理を行うことにより加算平均心電図を取得する取得工程と、
取得された加算平均心電図において遅延電位の有無を判定する判定工程と、
前記遅延電位の有無の判定結果を表示装置に表示させる表示処理工程と、
を実行させる心電図情報処理プログラム。
【発明の詳細な説明】
【技術分野】
【０００１】
本発明は、微小心電図検査を行う心電図情報処理装置、心電図情報処理方法、および心電図情報処理プログラムに関する。
【背景技術】
【０００２】
心電図検査の一つとして、レートポテンシャル（Ｌａｔｅ  Ｐｏｔｅｎｔｉａｌ）検査、加算平均心電図（ＳＡ−ＥＣＧ）検査などと呼ばれる微小心電図検査（以下、ＬＰ検査という）がある。このＬＰ検査によって、心臓突然死に結びつく心室性不整脈（心室頻拍（ＶＴ）または心室細動（ＶＦ）など）を誘発する伝導遅延が発生しているかを確認できる。
【０００３】
伝導遅延が発生している場合、微小な信号成分である遅延電位が心電図信号に重畳している。通常、遅延電位の検出精度を高めるために、心電図信号に対して加算平均処理などが行われる。その結果得られた信号から遅延電位を検出して、心室性不整脈の発生を予測する装置が開示されている（特許文献１参照）。
【先行技術文献】
【特許文献】
【０００４】
【特許文献１】特開２００２−２２４０６８号公報
【発明の概要】
【発明が解決しようとする課題】
【０００５】
ところで、近年では心電図情報処理装置などの各種医療用検査機器において、ペーパーレスでの運用が要望されている。
【０００６】
本発明の目的は、ペーパーレス運用に適した心電図情報処理装置、心電図情報処理方法、および心電図情報処理プログラムを提供することである。
【課題を解決するための手段】
【０００７】
本発明の心電図情報処理装置は、被検者の心電図信号に対して加算平均処理を行うことにより加算平均心電図を取得する取得部と、取得された加算平均心電図において遅延電位の有無を判定する判定部と、前記遅延電位の有無の判定結果を表示装置に表示させる表示処理部と、を有する構成を採る。
【０００８】
本発明の心電図情報処理方法は、心電図情報処理装置により実行される心電図情報処理方法であって、被検者の心電図信号に対して加算平均処理を行うことにより加算平均心電図を取得する取得工程と、取得された加算平均心電図において遅延電位の有無を判定する判定工程と、前記遅延電位の有無の判定結果を表示装置に表示させる表示処理工程と、を有するようにした。
【０００９】
本発明の心電図情報処理プログラムは、コンピュータに、被検者の心電図信号に対して加算平均処理を行うことにより加算平均心電図を取得する取得工程と、取得された加算平均心電図において遅延電位の有無を判定する判定工程と、前記遅延電位の有無の判定結果を表示装置に表示させる表示処理工程と、を実行させるようにした。
【発明の効果】
【００１０】
本発明によれば、ペーパーレス運用に適した心電図情報処理装置、心電図情報処理方法および心電図情報処理プログラムを提供することができる。
【図面の簡単な説明】
【００１１】
【図１】本発明の一実施の形態に係る心電図情報処理装置の外観を示す斜視図
【図２】本発明の一実施の形態に係る心電図情報処理装置の構成を示すブロック図
【図３】本発明の一実施の形態に係る誘導波形表示画面を示す図
【図４】本発明の一実施の形態に係る心電図検査処理を説明するためのフローチャート
【図５】本発明の一実施の形態に係るテンプレート波形指定画面を示す図
【図６】本発明の一実施の形態に係るマグニチュード波形表示画面を示す図
【図７】本発明の一実施の形態に係る一時停止画面を示す図
【図８】本発明の一実施の形態に係る区分位置調整画面を示す図
【発明を実施するための形態】
【００１２】
以下、本発明の実施の形態について、図面を用いて詳細に説明する。
【００１３】
図１は、本発明の一実施の形態に係る心電図情報処理装置の外観を示す斜視図である。図１に示すように、本実施の形態の心電図情報処理装置１００は、ＣＰＵ（Central Processing Unit）１０１等を内蔵する本体に、入力キー１０４、プリンター１０５、およびタッチパネル１０６を一体化した構成を有している。ただし、心電図情報処理装置１００の構成はこれに限られず、例えば、いずれも本体とは別体として構成された入力キー１０４、プリンター１０５、およびタッチパネル１０６が、それぞれ接続ケーブルを介して接続された構成であってもよい。
【００１４】
図２は、心電図情報処理装置１００の構成を示すブロック図である。心電図情報処理装置１００は、ＣＰＵ１０１、受信インタフェース（以下「Ｉ／Ｆ」と略記する）１０２、記憶部１０３、入力キー１０４、プリンター１０５、およびタッチパネル１０６を有する。
【００１５】
受信Ｉ／Ｆ１０２は、例えば標準１２誘導などの心電図信号を計測する電極（図示せず）と、心電図情報処理装置１００と、を通信可能に接続するＩ／Ｆである。電極と心電図情報処理装置１００との間で授受される心電図信号は、受信Ｉ／Ｆ１０２を経由する。
【００１６】
記憶部１０３は、ハードディスクドライブや半導体記憶装置などの記憶装置により構成される。記憶部１０３は、ＣＰＵ１０１が実行した演算の結果等のデータまたはＣＰＵ１０１に実行させる心電図情報処理プログラムなどを記憶することができる。
【００１７】
入力キー１０４は、例えば心電図情報処理装置１００の本体上に配置されたボタンであり、ボタンが押されることで操作者による操作を受け付ける。入力キー１０４がボタン操作されたとき、その操作の内容に従って心電図情報処理装置１００を動作させるための操作信号が生成され、ＣＰＵ１０１に供給される。
【００１８】
タッチパネル１０６は、表示装置としての機能と入力装置としての機能とを有している。表示装置としてのタッチパネル１０６はＣＰＵ１０１により得られた表示波形データまたは演算の結果のデータなどを表示する。一方、入力装置としてのタッチパネル１０６が操作者による操作を受け付けたとき、つまりタッチ操作されたとき、その操作の内容に従って心電図情報処理装置１００を動作させるための操作信号が生成され、ＣＰＵ１０１に供給される。
【００１９】
プリンター１０５は、レーザ式またはサーマルヘッド式などのプリンターであればよく、ＣＰＵ１０１により得られた表示波形データまたは演算の結果などのデータを印字する。
【００２０】
なお、入力キー１０４またはタッチパネル１０６は、本発明の入力部を構成する。また、タッチパネル１０６またはプリンター１０５は、本発明の出力部を構成する。
【００２１】
本発明の取得部、判定部、および表示処理部を構成するＣＰＵ１０１は、心電図情報処理装置１００内の上記各部の動作を制御する。ＣＰＵ１０１は、心電図情報処理プログラムを実行することで、後述する動作の各工程を心電図情報処理装置１００において実現させる。
【００２２】
次いで、上記構成を有する心電図情報処理装置１００において実行されるＬＰ検査を行う場合の動作について説明する。
【００２３】
心電図情報処理装置１００の起動後、例えばメニュー画面において検査を実行するためのメニューを選択すると、例えば図３に示すように、誘導波形を表示するための画面（誘導波形表示画面）がタッチパネル１０６に表示される。すなわち、被検者から計測された心電図信号が心電情報処理装置１００に供給されると、ＣＰＵ１０１は、その信号に基づく心電波形をリアルタイムでタッチパネル１０６に表示させる。
【００２４】
なお、本実施の形態では、標準１２誘導（特に、Ｉ誘導、ａＶＦ誘導、Ｖ１誘導、およびII誘導）の心電図信号を計測する。具体的には、Ｉ誘導心電図信号はＸ誘導の加算平均心電図を得るのに適しており、ａＶＦ誘導心電図信号はＹ誘導の加算平均心電図を得るのに適しており、Ｖ１誘導心電図信号はＺ誘導の加算平均心電図を得るのに適している。II誘導心電図信号は、リズム波形を表示させるために用いられる。なお、標準１２誘導を計測する代わりに、フランク誘導または双極ＸＹＺ誘導などの心電図信号を計測してもよい。
【００２５】
図４は、心電図情報処理装置１００により実行される心電図検査処理を説明するためのフローチャートである。ここでは、操作者による操作がいずれもタッチパネル１０６上で受け付けられる場合を例にとって説明する。なお、この心電図検査処理の実行中、心電図信号の計測は継続的に行われているものとする。
【００２６】
図４に示す心電図検査処理は、操作者による開始操作が受け付けられたときに開始する。ここで、開始操作は、加算平均処理を開始させる操作である。本実施の形態では、開始操作は、２ステップの操作を含む。開始操作の第１のステップは、図３に示す誘導波形表示画面上のフリーズボタン１１０のタッチ操作である。フリーズボタン１１０をタッチ操作すると、タッチパネル１０６には、図５に示すようにテンプレート波形指定画面が表示される。この画面は、加算平均処理において加算に適した心電波形（テンプレート波形）の形態を指定するための画面である。図５の例では、８つの（８拍分の）テンプレート波形候補が表示される。よって、開始操作の第２のステップでは、操作者はテンプレート波形指定画面上の１〜８の指定ボタン１１１〜１１８のうちいずれか１つをタッチ操作することでいずれか１つの波形をテンプレート波形として指定する。
【００２７】
なお、フリーズボタン１１０のタッチ操作時にＣＰＵ１０１が自動的にテンプレート波形を指定できるよう設定されている場合には、開始操作は、フリーズボタン１１０のタッチ操作のみを含む１ステップの開始操作であってもよい。この場合、ＣＰＵ１０１は、開始操作の時点から一定時間前（例えば１０秒前）までの数拍分の心電波形の中から標準的な１つの波形をテンプレート波形として指定する。
【００２８】
上記の開始操作が受け付けられると、ＣＰＵ１０１は、心電図信号に対する加算平均処理を開始する（ステップＳ１）。加算平均処理では、順次計測される心電図信号から、テンプレート波形に類似した波形形態をもつ心拍の心電図信号を抽出し、抽出した心電図信号を誘導ごとに平均化することで、誘導ごとの加算平均心電図を取得する。本実施の形態では、Ｉ誘導、ａＶＦ誘導およびＶ１誘導の心電図信号からそれぞれ得た加算平均心電図が、Ｘ誘導、Ｙ誘導およびＺ誘導の加算平均心電図となる。
【００２９】
上記３誘導の加算平均心電図が取得されると、ＣＰＵ１０１は、これらの加算平均心電図を例えば以下の式により合成することにより、合成加算平均心電図を取得する。
【数１】
2014128425.tif 000003
【００３０】
このようにしてＣＰＵ１０１は、被検者の心電図信号に対して加算平均処理を行うことにより、加算平均心電図（本実施の形態では合成加算平均心電図）を取得する。なお、テンプレート波形に類似した波形形態をもつ心拍の心電図信号抽出、誘導ごとの加算平均心電図取得、および合成加算平均心電図取得は、最新の心拍の心電図信号が計測されるたびに行われる。
【００３１】
また、開始操作が受け付けられると、タッチパネル１０６には、図６に示すように、合成加算平均心電図を表す波形（マグニチュード波形）を表示するための画面（マグニチュード波形表示画面）が表示される。この画面には、上記３誘導のテンプレート波形が画面領域Ａに表示され、最新のマグニチュード波形が画面領域Ｂに表示され、加算平均情報が画面領域Ｃに表示される。
【００３２】
ここで、画面領域Ｂには２つのマグニチュード波形が表示されている。上側に表示されるマグニチュード波形は、Ｂａｃｋｗａｒｄフィルタリング処理がされた波形であり、下側に表示されるマグニチュード波形は、Ｆｏｒｗａｒｄフィルタリング処理がされた波形である。Ｂａｃｋｗａｒｄフィルタリング処理およびＦｏｒｗａｒｄフィルタリング処理はいずれも、マグニチュード波形において微小な遅延電位が存在する場合にその遅延電位を顕在化させることができるフィルタリング処理であるが、前者は、波形データに対するフィルタリング処理を時間軸の逆方向で適用するものであり、後者は、波形データに対するフィルタリング処理を時間軸の順方向で適用するものである。
【００３３】
また、画面領域Ｃに表示される加算平均情報としては、心電図信号を加算する心拍数の目標値（図６の例では「２００」）、および開始操作の受け付けから現時点までで加算された（つまりテンプレート波形に類似した波形形態に相当する）心電図信号の心拍数（図６の例では「５２」）が含まれる。そのほかにも、開始操作の受け付けから現時点までで加算されなかった（つまりテンプレート波形に類似していない波形形態に相当する）心電図信号の心拍数（図６の例では「１０」）、および開始操作の受け付けから現時点までの総心拍数（図６の例では「６２」）も含まれる。この加算平均情報の表示により、加算平均処理の進捗状況を確認することができる。
【００３４】
次に、ＣＰＵ１０１は操作者による一時停止操作が行われたかを判断する（ステップＳ２）。ここで、一時停止操作は、加算平均処理を一時停止させる操作である。本実施の形態では、一時停止操作は、マグニチュード波形表示画面に表示された一時停止ボタン１１９をタッチ操作することで受け付けられる。一時停止操作が行われた場合には（ステップＳ２：Ｙｅｓ）、ＣＰＵ１０１は加算平均処理を一時停止する（ステップＳ４）。一方、一時停止操作が行われない場合には（ステップＳ２：Ｎｏ）、ＣＰＵ１０１は操作者による停止操作が行われたかを判断する（ステップＳ１０）。ここで、停止操作は、加算平均処理を停止させる操作である。本実施の形態では、停止操作は、マグニチュード波形表示画面に表示された停止ボタン１２０をタッチ操作することで受け付けられる。停止操作が行われた場合には（ステップＳ１０：Ｙｅｓ）、ＣＰＵ１０１は加算平均処理を停止する（ステップＳ１１）。一方、停止操作も行われない場合には（ステップＳ１０：Ｎｏ）、ＣＰＵ１０１は加算平均処理を継続する（ステップＳ３）。
【００３５】
ＣＰＵ１０１は、ステップＳ４で加算平均処理を一時停止した後に、開始操作の受け付け時点から一時停止操作の受け付け時点までの計測結果を取得し、これをタッチパネル１０６への表示により出力する（ステップＳ５）。本実施の形態では、開始操作の受け付け時点から一時停止操作の受け付け時点までの期間における計測結果は、当該期間に得られたマグニチュード波形の計測値（パラメーター値）、およびその計測値と基準値との比較結果に基づく遅延電位の有無の判定結果を含む。よって、加算平均処理の一時停止中に計測結果を表示するための画面（一時停止画面）には、図７に示すように、上記期間に得られたマグニチュード波形の計測値、およびその計測値と基準値との比較結果に基づく遅延電位の有無の判定結果が、表示される。
【００３６】
計測値のパラメーターは、遅延電位に関連するものであり、具体的には以下のとおりである。
・ｆＱＲＳｄ：Ｆｏｒｗａｒｄフィルタリング処理後またはＢａｃｋｗａｒｄフィルタリング処理後のマグニチュード波形における各々のＱＲＳ波の開始時点から終了時点までの時間（単位：ｍｓ）
・ｃ−ｆＱＲＳｄ：Ｆｏｒｗａｒｄフィルタリング処理後のマグニチュード波形におけるＱＲＳ波の開始時点から、Ｂａｃｋｗａｒｄフィルタリング処理後のマグニチュード波形におけるＱＲＳ波の終了時点までの時間（単位：ｍｓ）
・ＲＭＳ４０：Ｆｏｒｗａｒｄフィルタリング処理後またはＢａｃｋｗａｒｄフィルタリング処理後のマグニチュード波形におけるＱＲＳ波の終了時点から前４０ｍｓｅｃまでの区間の各電位を、それぞれ二乗して平均化した値の平方根（単位：μＶ）
・ＬＡＳ４０：Ｆｏｒｗａｒｄフィルタリング処理後またはＢａｃｋｗａｒｄフィルタリング処理後のマグニチュード波形におけるＱＲＳ波の終了時点からＱＲＳ波の開始時点に向けて、電位が４０μＶ以下の持続時間（単位：ｍｓ）
【００３７】
また、判定結果を導き出すための判定項目は、具体的には以下のとおり３項目である。右辺の数値は、個々の判定項目のために予め設定された基準値であり、予め記憶部１０３に記憶されているものであるが、これらは適宜変更可能である。なお、下記のＲＭＳ４０およびＬＡＳ４０の基準値は、Ｂａｃｋｗａｒｄフィルタリング処理後のマグニチュード波形から得られた計測値と比較するために予め設定された基準値である。
・ＲＭＳ４０＜１５．０μＶ
・ＬＡＳ４０＞３９ｍｓｅｃ
・ｃ−ｆＱＲＳｄ＞１０５ｍｓｅｃ
【００３８】
本実施の形態では、上記判定項目のうち２つ以上を満たす場合には、陽性（＋）、つまり遅延電位があるという判定結果となり、そうでない場合は、陰性（−）、つまり遅延電位がない、という判定結果となる。
【００３９】
また、本実施の形態では、図７に示すように、一時停止画面においては、遅延電位の有無の判定結果のみならず、各パラメーターについての比較結果（計測値、基準値、およびこれらの大小関係）も含めて、判定結果として表示される。これにより、操作者は遅延電位に関連する情報をより詳しく確認できる。ただし、遅延電位の有無の判定結果を確認するには、少なくとも遅延電位の有無の判定結果が表示されればよい。
【００４０】
なお、遅延電位についての計測値は、Ｆｏｒｗａｒｄフィルタリング処理後のマグニチュード波形から求められてもよく、図７から分かるようにＢａｃｋｗａｒｄフィルタリング処理後のマグニチュード波形から求められてもよい。
【００４１】
ところで、一時停止画面には、上下それぞれのマグニチュード波形において上記計測値を得るための区分位置を表す縦線Ｌｂ１、Ｌｂ２、Ｌｂ３、Ｌｆ１、Ｌｆ２、Ｌｆ３が各マグニチュード波形に重ねて表示される。この縦線Ｌｂ１、Ｌｂ２、Ｌｂ３、Ｌｆ１、Ｌｆ２、Ｌｆ３が表示されることで、操作者はマグニチュード波形の区分位置を確認できる。なお、区分位置は、ＱＲＳ波の開始時点および終了時点を検出する従来周知の方法を用いて自動検出されるが、例えば図８に例示する区分位置調整画面において操作者の操作により個々の区分位置を手動で調整することもできる。区分位置を調整した場合、調整後の区分位置を基に新たな計測結果を取得し、これを表示させることができる。
【００４２】
従来のＬＰ検査用の心電図情報処理装置において、遅延電位の有無の判定結果は記録紙への印刷によって出力されていた一方で、表示装置に表示されていなかった。すなわち、操作者は、検査を停止させる度に、判定結果を記録紙に印刷させ、その記録紙を見て判定結果を確認する必要があった。一般に、記録紙への印刷による出力の場合、判定結果は、記録紙への印刷後、その記録紙を装置外に排出してから見ることができるようになるため、時間を要する。また印刷が感熱方式、つまりサーマルヘッドによる記録紙（感熱紙）への印刷である場合、その特性上、印刷そのものに時間を要する。よって、一時停止および再開を繰り返し実行することが可能な場合において、仮に、一時停止操作を行うたびに判定結果の出力を記録紙への印刷によって行えば、排紙を待つための時間や印刷が完了する時間が著しく長くなり、これに伴って一時停止の期間も無駄に長くなるため、検査効率の低下を招く虞がある。この点につき、本実施の形態では、ＬＰ検査用の心電図情報処理装置において、開始操作の受け付け時点から一時停止操作の受け付け時点までの期間における遅延電位についての判定結果を、表示装置であるタッチパネル１０６に表示させることができる。そのため、一時停止操作を行うたびに記録紙への印刷による判定結果出力をする必要はない。また一時停止操作を行うと瞬時にその時点までの期間において遅延電位の有無の判定結果を確認できるため、前述のような検査効率低下の虞もない。
【００４３】
次いで、ＣＰＵ１０１は操作者による再開操作が行われたかを判断する（ステップＳ６）。ここで、再開操作は、加算平均処理を再開させる操作である。再開操作は、図７に示す一時停止画面に表示された加算再開ボタン１２１をタッチ操作することで受け付けられる。再開操作が行われた場合には（ステップＳ６：Ｙｅｓ）、ＣＰＵ１０１は加算平均処理を再開する（ステップＳ７）。
【００４４】
なお、本実施の形態では、一時停止操作が行われてから再開操作が行われるまでの期間に被検者から計測された心電図信号を加算平均処理の対象から除外することが検査の信頼性を確保する観点から好ましい。その理由は以下のとおりである。加算平均処理を伴う心電図検査は、突然死や致死性心室不整脈（ＶＦ／ＶＴ）の予測をするだけではなく、ＩＣＤを埋め込む判断材料やＢｒｕｇａｄａ症候群のリスク評価・診断補助などにも用いられるため、検査の信頼性を確保することが特に重要である。よって、この検査は、操作者が加算平均処理中にタッチパネル１０６の表示画面及び被検者の状態を常に確認できる状態で進行させることが望ましい。しかしながら、操作者、例えば検査技師は、複数の被検者に対し異なる検査作業を同時に行っていることがあり、特定の被検者のみの検査のためのタッチパネル１０６の表示画面及び被検者の状態を常に確認することは困難である。本実施の形態では、例えば操作者がその検査の場所から離れなければならなくなった場合に、前述の一時停止操作および再開操作を利用することで、検査場所から離れている期間に計測された心電図信号を加算させないようにすることができる。すなわち、操作者がタッチパネル１０６の表示画面を確認しているときに計測された心電図信号のみが加算平均処理の対象となる。そのため、加算平均処理を伴う心電図検査の信頼性を確保できる。
【００４５】
一方、操作者による再開操作が行われない場合には（ステップＳ６：Ｎｏ）、ＣＰＵ１０１は操作者による終了操作が行われたかを判断する（ステップＳ８）。ここで、終了操作は、加算平均処理を終了させる操作である。終了操作は、図７に示す一時停止画面に表示された検査終了ボタン１２２をタッチ操作することで受け付けられる。終了操作が行われていない場合には（ステップＳ８：Ｎｏ）、心電図検査処理はステップＳ６に戻る。一方、終了操作が行われた場合には（ステップＳ８：Ｙｅｓ）、ＣＰＵ１０１は、検査終了の処理として、加算平均処理の一時停止時点までの計測結果をプリンター１０５による記録紙への印刷によって出力する（ステップＳ９）。最後に、タッチパネル１０６の表示を誘導波形表示画面に戻して、この心電図検査処理が終了となる。なお、ステップＳ９での、加算平均処理の一時停止時点までの計測結果の出力方法は、記録紙への印刷に限られず、例えば計測結果のデータをハードディスクドライブ、書き込み可能な光ディスクドライブ、または不揮発性メモリ等への保存であってもよい。この場合、記録紙への印刷は、計測結果が得られた後であれば任意のタイミングで、操作者による操作に従って実行させることができるようにしてよい。
【００４６】
ところで、ステップＳ１１で加算平均処理が停止した後、ＣＰＵ１０１は、ステップＳ５で説明した一時停止の場合と同様、図７に示すように、その操作受け付け時点までの計測結果を示す画面をタッチパネル１０６に表示させることができる（ステップＳ１２）。そのため、例えば操作者が区分位置の調整を何度も行った場合などに、その都度記録紙への印刷による出力をせずとも、調整後の区分位置を基に取得された遅延電位の有無の判定結果を確認できる。
【００４７】
その後、ＣＰＵ１０１は、終了操作が行われるのを待機して（ステップＳ１３）、ステップＳ９で説明した検査終了の処理を実行する。
【００４８】
以上のように本実施の形態によれば、加算平均処理を一時停止させたり停止させたりしたときに、遅延電位の有無の判定結果を表示装置（例えばタッチパネル１０６）に表示させることができる。したがって、操作者は記録紙への印刷による出力をしなくても判定結果を確認できるため、ペーパーレス運用に適している。
【００４９】
以上、本発明の実施の形態について説明したが、以上の説明は本発明の好適な実施の形態の例証であり、本発明の範囲はこれに限定されるものではない。よって、上記実施の形態は、種々変更して実施可能である。例えば、本発明の実施の形態では、心電図情報処理装置１００が、電極と接続して心電図信号の計測を実行することが可能な心電計である場合を例にとって説明したが、心電図情報処理装置１００は、心電計からの心電図信号をネットワークやメモリカードなどを用いて受信可能なパソコンなどの端末装置であってもよい。
【符号の説明】
【００５０】
１００  心電図情報処理装置
１０１  ＣＰＵ
１０２  受信Ｉ／Ｆ
１０３  記憶部
１０４  入力キー
１０５  プリンター
１０６  タッチパネル
【図１】
2014128425.tif 000004
【図２】
2014128425.tif 000005
【図３】
2014128425.tif 000006
【図４】
2014128425.tif 000007
【図５】
2014128425.tif 000008
【図６】
2014128425.tif 000009
【図７】
2014128425.tif 000010
【図８】
2014128425.tif 000011